(57)【要約】【課題】ハンドルレバーの引き起こし状態及び倒伏状態を確実かつ容易に保持する。【解決手段】ハンドル装置Ｈは、ハンドルレバー４の枢支側端部に突出され、ハンドルレバー４の回動操作により、回動軸３回りを回動可能な突起４１と、ハンドルベース１側に回動軸３に近接して配置され、突起４１に係合し、突起４１の回動軸３回りの回動により押圧変形される板バネ２０６とを備え、ハンドルレバー４の引き起こし位置及び倒伏位置で、突起４１による板バネ２０６の押圧変形により板バネ２０６に生じる反力を突起４１に加えて、ハンドルレバー４を保持するようにした。【選択図】図５
2014234650.tif 000002
【特許請求の範囲】
【請求項１】
扉に固着されるハンドルベースと、前記ハンドルベースに回転可能に挿通されるハンドル軸に回動軸を介して前記ハンドルベースに対して起伏回動可能に装着されるハンドルレバーと、前記ハンドルベースの背面側に前記ハンドル軸を介して回転可能に取り付けられ、ボックス本体などの固定枠体側の受け金に対して係脱可能な止め金とを備え、扉の開閉時に前記ハンドルレバーを前記ハンドルベースから引き起こして回転操作することにより前記止め金を前記受け金に対して係脱し、扉を閉めた後は前記ハンドルレバーを前記ハンドルベース上に倒伏して収納する形式のハンドル装置において、
前記ハンドルレバーの枢支側端部に突出され、前記ハンドルレバーの回動操作により、前記回動軸回りを回動可能な突起と、
前記ハンドルベース側に前記回動軸に近接して配置され、前記突起に係合し、前記突起の前記回動軸回りの回動により押圧変形される板バネと、
を備え、
前記ハンドルレバーの前記引き起こし位置及び倒伏位置で、前記突起による前記板バネの押圧変形により前記板バネに生じる反力を前記突起に加えて、前記ハンドルレバーを保持する、
ことを特徴とするハンドル装置。
【発明の詳細な説明】
【技術分野】
【０００１】
本発明は、配電盤や制御盤などの機器格納用キャビネットなどに使用するハンドル装置に関する。
【背景技術】
【０００２】
従来、この種のハンドル装置は、例えば特許文献１により開示されているように、扉に固着されるハンドルベースと、ハンドルベースに回転可能に挿通されるハンドル軸に回動軸を介してハンドルベースに対して起伏回動可能に装着されるハンドルレバーと、ハンドルベースの背面側にハンドル軸を介して回転可能に取り付けられ、ハンドルレバーの操作により、ボックス本体などの固定枠体側の受け金に対して係脱可能な止め金とを備え、扉の開閉時にハンドルレバーをハンドルベースから引き起こして回転操作することにより止め金を受け金に対して係脱し、扉を閉めた後はハンドルレバーをハンドルベース上に倒伏して収納する形式を採っている。
【先行技術文献】
【特許文献】
【０００３】
【特許文献１】特開２００３−３７００公報
【発明の概要】
【発明が解決しようとする課題】
【０００４】
ところで、この種のハンドル装置では、既述のとおり、扉を開閉するときにハンドルレバーをハンドルベースから引き起こして回転操作し、扉を閉じた後はハンドルレバーをハンドルベース上に倒伏して収納するので、ハンドルレバーを引き起こしたときは、ハンドルレバーの引き起こし状態が自動的に保持され、ハンドルレバーをハンドルベース上に倒伏したときは、ハンドルレバーの倒伏状態が自動的に保持されることが、ハンドルレバーの操作性及び収納性の点で好ましく、この場合に、ハンドルレバーの引き起こし状態及び倒伏状態が確実かつ容易に保持されることが必要で、しかも、簡易な構造が求められる。
【０００５】
そこで、本発明は、この種のハンドル装置において、簡易な構造により、ハンドルレバーの引き起こし状態及び倒伏状態を確実かつ容易に保持できるようにすること、を目的とする。
【課題を解決するための手段】
【０００６】
上記目的を達成するために、本発明は、扉に固着されるハンドルベースと、前記ハンドルベースに回転可能に挿通されるハンドル軸に回動軸を介して前記ハンドルベースに対して起伏回動可能に装着されるハンドルレバーと、前記ハンドルベースの背面側に前記ハンドル軸を介して回転可能に取り付けられ、ボックス本体などの固定枠体側の受け金に対して係脱可能な止め金とを備え、扉の開閉時に前記ハンドルレバーを前記ハンドルベースから引き起こして回転操作することにより前記止め金を前記受け金に対して係脱し、扉を閉めた後は前記ハンドルレバーを前記ハンドルベース上に倒伏して収納する形式のハンドル装置において、前記ハンドルレバーの枢支側端部に突出され、前記ハンドルレバーの回動操作により、前記回動軸回りを回動可能な突起と、前記ハンドルベース側に前記回動軸に近接して配置され、前記突起に係合し、前記突起の前記回動軸回りの回動により押圧変形される板バネとを備え、前記ハンドルレバーの前記引き起こし位置及び倒伏位置で、前記突起による前記板バネの押圧変形により前記板バネに生じる反力を前記突起に加えて、前記ハンドルレバーを保持する、ことを要旨とする。
【発明の効果】
【０００７】
本発明のハンドル装置によれば、ハンドルレバーの倒伏位置及び引き起こし位置で、ハンドルレバーの枢支側端部に突出される突起によりハンドルベース側に回動軸に近接して配置される板バネを押圧変形し当該板バネに生じる反力を突起に加えて、ハンドルレバーを保持するようにしたので、簡易な構造により、ハンドルレバーの引き起こし状態及び倒伏状態を確実かつ容易に保持することができる、という本発明独自の格別な効果を奏する。
【図面の簡単な説明】
【０００８】
【図１】本発明の一実施の形態におけるハンドル装置の正面図
【図２】同ハンドル装置の平面図
【図３】同ハンドル装置の側面図
【図４】同ハンドル装置の背面図
【図５】同ハンドル装置の側面断面図（（ａ）はハンドルレバーがハンドルベース上に収納された状態を示す図（ｂ）はハンドルレバーがハンドルベースから引き起こされた状態を示す図）
【図６】同ハンドル装置に採用される錠前ユニットを示す図（（ａ）は側面図（ｂ）は正面図）
【図７】同ハンドル装置のハンドルレバーがハンドルベース上に収納された状態を示す正面図
【図８】同ハンドル装置の同状態（図７）の側面断面図（（ａ）はハンドル装置全体の側面断面図（ｂ）はハンドル装置の特に要部の側面断面図）
【図９】同ハンドル装置のハンドルレバーがハンドルベースから引き起こされた状態を示す正面図
【図１０】同ハンドル装置の同状態（図９）の側面断面図（（ａ）はハンドル装置全体の側面断面図（ｂ）はハンドル装置の特に要部の側面断面図）
【図１１】同ハンドル装置のハンドルレバーが回転操作された状態を示す正面図
【図１２】同ハンドル装置に採用されるインジケータの動作を示す図（（ａ）は錠前ユニットのロック爪が前部ユニットの下方に回転変位してハンドルレバーの受け部に係合され、同時に、前部ユニット正面の赤いマークがハンドルレバーの表示窓の位置に回転変位されてハンドルレバーの施錠状態が外部に表示された状態を示す図（ｂ）は錠前ユニットのロック爪が前部ユニットの側方に回転変位してハンドルレバーの受け部がら離脱され、同時に、前部ユニット正面の青いマークがハンドルレバーの表示窓の位置に回転変位されてハンドルレバーの解錠状態が外部に表示された状態を示す図）
【発明を実施するための形態】
【０００９】
次に、この発明を実施するための形態について図を用いて説明する。図１乃至図５にハンドル装置を示し、図６にこのハンドル装置に採用される錠前ユニットを示している。
【００１０】
図１乃至図４に示すように、ハンドル装置Ｈは、扉パネルに固着されるハンドルベース１と、ハンドルベース１に回転可能に挿通されるハンドル軸２に回動軸３（図５参照）を介してハンドルベース１に対して起伏回動可能に装着されるハンドルレバー４と、ハンドルベース１の背面側にハンドル軸２を介して回転可能に取り付けられ、ハンドルレバー４の回転操作によりボックス本体などの固定枠体側の受け金に対して係脱可能な止め金５とを備え、扉パネルの開閉時にハンドルレバー４をハンドルベース１から引き起こして回転操作することにより止め金４を受け金に対して係脱し、扉パネルを閉めた後はハンドルレバー４をハンドルベース１上に倒伏して収納する形式になっている。
また、図５に示すように、このハンドル装置Ｈは、ハンドルベース１にハンドルレバー４の受け部４２に係脱可能な錠止部材６４を有する錠前ユニット６が組み込まれて、錠前ユニット６の鍵穴６３がハンドルレバー４に形成された開口４３に臨むようになっており、ハンドルベース１上にハンドルレバー４が収納された状態で、鍵７を鍵穴６３に挿入し所定の施錠方向に回転操作することにより、ハンドルベース１側の錠前ユニット６の錠止部材６４とハンドルレバー４側の受け部４２が係合してハンドルレバー４が施錠され、鍵７を所定の解錠方向に回転操作することにより、錠前ユニット６の錠止部材６４と受け部４２との係合が解除されてハンドルレバー４が解錠されるようになっている。
【００１１】
このハンドル装置Ｈでは、ハンドルベース１は、図１乃至図４に示すように、亜鉛ダイカストにより、左右両側の外形ラインを流線形とする縦長の略板状に形成され、上下部にそれぞれ、ねじ穴１０が背面側から正面側に向けて形成されて、扉パネルにねじ１１で取り付けられるようになっている。
このハンドルベース１の場合、図５に示すように、正面側の上部にハンドルレバー４が一体的に連接可能に膨出部１２が形成され、この膨出部１２の下部側の面がハンドル収納部１３になっている。この場合、膨出部１２は平面形状が略逆Ｕ字形に形成され、ハンドル収納部１３は正面縁部が膨出部１２の略逆Ｕ字形の両端から連続的に膨出部１２より低い凸状に、正面中央部が正面縁部に対して少し凹状にそれぞれ形成される。
ハンドルレバー収納部１３の上部には軸筒部１４が形成され、この軸筒部１４にハンドルレバー４のハンドル軸２が回転可能に挿着される。この場合、軸筒部１４はハンドルレバー収納部１３の上部に膨出部１２の略逆Ｕ字形と一体にハンドルベース１の背面側に略円筒形に突出して形成される。ハンドル軸２は軸筒部１４に回転可能に嵌合される筒部２０と軸筒部１４からハンドルベース１の背面側に突出される軸部２１とからなる。筒部２０は膨出部１２の略逆Ｕ字形内から軸筒部１４内に嵌合可能に略円筒状に形成される。また、この筒部２０は内部空間が断面四角形状に形成されて、開口上縁部２０１及び開口左右両縁部２０２，２０２が膨出部１２と略同じ高さに前方に突出され、開口下縁部２０３がハンドルレバー収納部１３の高さよりも僅かに突出されて他の各縁部２０１、２０２，２０２よりも低くなっている。この筒部２０の左右両側面の開口側で上下方向中間所定の位置にハンドルレバー４の回動軸３を軸支するための軸受２０４，２０４が設けられる。また、この筒部２０の底面（開口から見て奥の面）は凹状に形成されてその回りに段部２０５が設けられ、この段部２０５上にステンレスバネ鋼からなる平板状の板バネ２０６が設置される。このようにして板バネ２０６はハンドルレバー４の回動軸３に近接して配置され、板バネ２０６の平面がハンドルベース１の背面側と略平行に向けられて、後述するハンドルレバー４の枢支側端部から突出される突起４１に係合し、この突起４１により押圧変形されるようになっている。ハンドル軸２の軸部２１は筒部２０の外径よりも少し小さく略四角柱状に形成される。この軸部２１のハンドルベース１の背面側に突出される端面に正面方向に向けてねじ２１１のためのねじ穴２１０が設けられる。
また、このハンドルレバー収納部１３の下部側に筒状部１５が形成され、この筒状部１５に錠前ユニット６が組み込まれる。この場合、筒状部１５はハンドルレバー収納部１３の下部側に円筒状にハンドルベース１の背面側を若干突出させて形成される。錠前ユニット６は、図６に示すように、略円筒状の後部ユニット６１と、この後部ユニット６１に対して回転可能に連接される略円筒状の前部ユニット６２とからなり、前部ユニット６２の正面に鍵穴６３を有し、前部ユニット６２の外周面に錠止部材６４としてロック爪が突出されて、鍵７を鍵穴６３に通して前部ユニット６２を所定の施錠方向に回転することにより、ロック爪６４を所定の施錠位置として前部ユニット６２の下方に回転変位して（図１２（ａ）参照）錠前ユニット６を施錠状態とし、所定の解錠方向に回転することにより、ロック爪６４を所定の解錠位置として前部ユニット６２の側方に回転変位して（図１２（ｂ）参照）錠前ユニット６を解錠状態とする形式の錠前ユニットが採用される。この錠前ユニット６は筒状部１５に挿着され、前部ユニット６２の正面が筒状部１５の前部開口内に表出される。
【００１２】
ハンドルレバー４は、亜鉛ダイカストにより、図１及び図３に示すように、ハンドルベース１の正面側のハンドルレバー収納部１３上に当接可能に左右両側の外形ラインを流線形とする縦長の略板状にかつ下端がハンドルベース１の下端まで回り込むようにやや下方に延ばして形成される。
このハンドルレバー４の枢支側端部となる上部の中央には、図５に示すように、回動軸３を挿通するための軸挿通部４０が突出形成される。この軸挿通部４０はハンドル軸２の筒部２０内に配置されて回転可能に小ブロック状に形成され、左右両側面の中心間に回動軸３が通されて両側に突出される。また、この軸挿通部４０は、ハンドルレバー４がハンドルベース１上に当接収納された状態で、ハンドル軸２内の板バネ２０６に対向する面が板バネ２０６に当接可能に平面状に形成され、この面の上部側に板バネ２０６の中心よりも上方所定の位置を押圧可能に突起４１が突出形成される。このようにしてハンドルレバー４は軸挿通部４０がハンドルベース１の軸筒部１４に挿着されたハンドル軸２の筒部２０内に配置され、軸挿通部４０に通された回動軸３が筒部２０の軸受２０４，２０４間に支持されて、ハンドルベース１に起伏回動可能に取り付けられる。そして、ハンドルレバー４の枢支側端部から突出された突起４１は筒部２０内にハンドルレバー４の回動操作により回動軸３回りを回動可能に配置されて、筒部２０内の奥側に回動軸３に近接して配置された板バネ２０６に係合され、この突起４１の回動軸３回りの回動により板バネ２０６を押圧変形してこの板バネ２０６に生じる反力により、ハンドルレバー４を任意の回動位置に保持するようになっている。したがって、ハンドルレバー４をハンドルベース１から引き起こすと、ハンドルレバー４の任意の引き起こし位置で、ハンドルレバー４の突起４１により板バネ２０６が押圧変形されてこの板バネ２０６に生じる反力が突起４１に加えられて、この引き起こし位置にハンドルレバー４が保持され、ハンドルレバー４をハンドルベース１上に倒伏し当接すると、このハンドルレバー４の倒伏位置で、ハンドルレバー４の突起４１により板バネ２０６が押圧変形されてこの板バネ２０６に生じる反力が突起４１に加えられて、この倒伏位置にハンドルレバー４が保持される。
また、このハンドルレバー４の回動側端部側となる下部側でハンドルベース１の錠前ユニット６の下部に対向する内側面の所定の位置に、錠前ユニット６のロック爪６４に係合可能な受け部４２が設けられ、この受け部４２の直上に、前部ユニット６２の正面の鍵穴６３を外部に臨ませるための開口４３が設けられる。この場合、受け部４２はハンドルレバー４の内側面に錠前ユニット６の下部に向けて突出され、錠前ユニット６の下部に回転変位されたロック爪６４が係脱可能に鉤形に形成される。開口４３は錠前ユニット６の前部ユニット６２の正面の直径よりも小さく鍵穴６３の長さよりも大きい円形に形成される。このようにしてハンドルレバー４をハンドルベース１上に倒伏して収納した後、鍵７を鍵穴６３に通し前部ユニット６２を施錠方向に回転して、錠前ユニット６を施錠状態にすると、ロック爪６４が前部ユニット６２の下方に回転変位してハンドルレバー４側の受け部４２に係合されて、ハンドルレバー４を施錠し、前部ユニット６２をその反対方向に回転して、錠前ユニット６を解錠状態にすると、ロック爪６４が前部ユニット６２の側方に回転変位してハンドルレバー４側の受け部４２から離脱されて、ハンドルレバー４を解錠するようになっている。
【００１３】
さらに、ハンドルレバー４には、図１に示すように、このハンドルレバー４の施錠又は解錠状態を切り替え表示するインジケータ８が併せて設けられる。このインジケータ８は、図１に示すように、ハンドルレバー４の開口４３の周囲所定の位置に形成される表示窓８０と、図６に示すように、錠前ユニット６の前部ユニット６２の正面の鍵穴６３の周囲で、前部ユニット６２を回転してロック爪６４を所定の施錠位置に回転変位したときに前部ユニット６２の表示窓８０に一致する位置に設けられ、ハンドルレバー４の施錠状態を表示するための表示部材８１Ｒ、及び前部ユニット６２を回転してロック爪６４を所定の解錠位置に回転変位したときに前部ユニット６２の表示窓８０に一致する位置に設けられ、ハンドルレバー４の解錠状態を表示するための表示部材８１Ｂとからなる。この場合、インジケータ８はハンドルレバー４の下部側でハンドルベース１の錠前ユニット６の前部ユニット６２の正面に対応する位置に、正面の鍵穴６３を外部に臨ませるための開口４３に近接して設けられ、表示窓８０は開口４３の上部に連続して開口４３より小さい円形に形成され、錠前ユニット６の前部ユニット６２の正面の鍵穴６３の周囲で、前部ユニット６２を回転して錠前ユニット６を施錠状態にしたときに表示窓８０に一致する位置に施錠状態を表示するための表示部材８１Ｒとして赤色のマークが付けられ、前部ユニット６２を回転して錠前ユニット６を解錠状態としたときに表示窓８０に一致する位置に解錠状態を表示するための表示部材８１Ｂとして青色のマークが付けられる。このようにして鍵７を鍵穴６３に通し前部ユニット６２を回転してロック爪６４を所定の施錠位置に回転変位したときに表示窓８０にハンドルレバー４の錠止状態を赤いマークで表示し、鍵７を鍵穴６３に通し前部ユニット６２を回転してロック爪６４を所定の解錠位置に回転変位したときに表示窓８０にハンドルレバー４の解錠状態を青いマークで表示するようにしてある。
【００１４】
止め金５は、図４及び図５に示すように、鉄又はステンレスからプレス加工（打ち抜き加工）により一体に成形され、横方向に長い略長方形に形成され、その一方端に近接してハンドルベース１のハンドル軸２の軸部２１に対応する軸穴５０が形成される。この場合、止め金５の軸穴５０は四角柱状のハンドル軸２の軸部２１に対応して四角形の穴になっている。この止め金５はハンドル軸２に止め金５の軸穴５０とハンドル軸２の軸部２１との係合により回転不能に取り付けられ、軸部２１先端のねじ穴２１０にねじ２１１が締結されて固定される。このようにしてハンドルレバー４を任意の引き起こし位置で所定の開方向に回すことにより、ハンドルレバー４とハンドル軸２の間の回動軸３を介してハンドル軸２を同方向に一体回転して、止め金５を固定枠体側の受け金に係合し、ハンドルレバー４をこれとは反対の閉方向に回すと、回動軸３を介してハンドル軸２を同方向に一体回転して、止め金５を固定枠体側の受け金から離脱するようになっている。
【００１５】
ハンドル装置Ｈはこのような構成を備え、図８（ａ）に示すように、扉パネルＤに、ねじ１１を介して取り付けられる。この場合、扉パネルＤに、ハンドルベース１の背面側に突出される軸筒部１４及び筒状部１５を挿通するための２つの穴が形成されるとともに、ハンドルベース１の上下のねじ穴１０に対応してねじ１１のための透孔が穿設され、ハンドル装置Ｈはハンドルベース１の背面と扉パネルＤの正面との間にパッキン９が介挿されて、ハンドルベース１の軸筒部１４及び筒部１５の各部が扉パネルＤの各穴に合せられ、扉パネルＤの背面側から、ねじ１１が扉パネルＤの各透孔よりハンドルベース１の各ねじ穴１０に締結されて、扉パネルＤに取り付けられる。
【００１６】
図７乃至図１２にこのハンドル装置Ｈの使用例を示している。扉パネルＤが固定枠体に対して閉じられているときは（図８（ａ）参照）、通常、図７及び図８（ａ）に示すように、ハンドルレバー４がハンドルベース１上に倒伏され、この場合、図８（ｂ）に示すように、ハンドルレバー４の突起４１により板バネ２０６が押圧変形されてこの板バネ２０６に生じる反力が突起４１に矢印Ｐ１方向に加えられて、この倒伏位置にハンドルレバー４が保持される。そして、この状態で、鍵７により錠前ユニット６が施錠状態とされ（すなわち、ロック爪６４が前部ユニット６２の下方に回転変位されてハンドルレバー４側の受け部４２に係合されて）、ハンドルレバー４は施錠される。また、この場合、錠前ユニット６が施錠状態とされるので、図１２（ａ）に示すように、前部ユニット６２正面の赤いマーク８１Ｒがハンドルレバー４の表示窓８０の位置に回転変位されていて、インジケータ８は赤になり、ハンドルレバー４の施錠状態が外部に表示される。
このような扉パネルＤの施錠状態から、扉パネルＤを開けるときは、まず、ハンドルレバー４の施錠を解除する。この場合、図８に示すように、鍵７を錠前ユニット６の鍵穴６３に通し前部ユニット６２を解錠方向に回転して、錠前ユニット６を解錠状態にすると、図１２（ｂ）に示すように、ロック爪６４が前部ユニット６２の側方に回転変位してハンドルレバー４の受け部４２がら離脱され、ハンドルレバー４が解錠される。このとき、錠前ユニット６が解錠状態とされるので、同時に、前部ユニット６２正面の青いマーク８１Ｂがハンドルレバー４の表示窓８０の位置に回転変位されて、インジケータ８は青になり、ハンドルレバー４の解錠状態が外部に表示される。そして、図９及び図１０（ａ）に示すように、ハンドルレバー４をハンドルベース１から引き起こすと、このハンドルレバー４の任意の引き起こし位置で、図１０（ｂ）に示すように、ハンドルレバー４の突起４１により板バネ２０６が押圧変形されてこの板バネ２０６に生じる反力が突起４１に矢印Ｐ２方向に加えられて、この引き起こし位置にハンドルレバー４が保持される。続いて、この状態から、図１１に示すように、ハンドルレバー４を所定の開方向に回すと、ハンドルレバー４とハンドル軸２の間の回動軸３を介してハンドル軸２が同方向に一体回転して、止め金５が固定枠体側の受け金から離脱される。この状態から扉パネルＤを開動し、扉パネルＤを開く。
これに引き続いて、扉パネルＤを閉めるときは、扉パネルＤの閉動後、任意の引き起こし位置に保持されたハンドルレバー４を所定の閉方向に回し（図１１、図９参照）、ハンドルレバー４とハンドル軸２の間の回動軸３を介してハンドル軸２を同方向に一体回転して、止め金５を固定枠体側の受け金に係合させる。これにより扉パネルＤが閉められる。続いて、ハンドルレバー４をハンドルベース１上に倒伏すると（図７参照）、図８に示すように、ハンドルレバー４の突起４１により板バネ２０６が押圧変形されてこの板バネ２０６に生じる反力が突起４１に加えられて、この倒伏位置にハンドルレバー４が保持される。これにより扉パネルＤを閉めた状態が保持される。そして、ハンドルレバー４を施錠する場合は、鍵７を錠前ユニット６の鍵穴６３に通し前部ユニット６２を施錠方向に回転して、錠前ユニット６を施錠状態にすると、図１２（ａ）に示すように、ロック爪６４が前部ユニット６２の下方に回転変位してハンドルレバー４の受け部４２に係合され、ハンドルレバー４が施錠される。このとき、錠前ユニット６が施錠状態とされるので、同時に、前部ユニット６２正面の赤いマーク８１Ｒがハンドルレバー４の表示窓８０の位置に回転変位されて、インジケータ８は赤になり、ハンドルレバー４の施錠状態が外部に表示される。
【００１７】
以上説明したように、このハンドル装置Ｈによれば、扉パネルＤの開閉時にハンドルレバー４をハンドルベース１から引き起こして回転操作することにより止め金５を受け金に対して係脱し、扉パネルＤを閉めた後はハンドルレバー４をハンドルベース１上に倒伏して収納する形式のハンドル装置において、ハンドルレバー４の枢支側端部に突出され、ハンドルレバー４の回動操作により、回動軸３回りを回動可能な突起４１と、ハンドルベース１側に回動軸３に近接して配置され、突起４１に係合し、突起４１の回動軸３回りの回動により押圧変形される板バネ２０６とを備え、ハンドルレバー４の引き起こし位置及び倒伏位置でそれぞれ、突起４１による板バネ２０６の押圧変形により板バネ２０６に生じる反力を突起４１に加えて、ハンドルレバー４を保持するようにしたので、簡易な構造により、ハンドルレバー４の引き起こし状態及び倒伏状態を確実に保持することができ、ハンドルレバー４の操作性及び収納性の向上を図ることができる。
【００１８】
また、このハンドル装置Ｈでは、ハンドルレバー４にこのハンドルレバー４の施錠又は解錠状態を切り替え表示するインジケータ８を設け、ハンドルベース１にハンドルレバー４が収納された状態で、鍵７を鍵穴６３に通し錠前ユニット６の前部ユニット６２を回転してロック爪６４を所定の施錠位置に回転変位したときに、インジケータ８に赤いマーク８１Ｒによりハンドルレバー４の錠止状態を表示し、鍵７を鍵穴６３に通し前部ユニット６２を回転してロック爪６４を所定の解錠位置に回転変位したときに、インジケータ８に青いマーク８１Ｂによりハンドルレバー４の解錠状態を表示するようにしたので、このインジケータ８により、ハンドルレバー４の施錠状態又は解錠状態が目視により瞬時に分かり、扉パネルＤの開閉に際して利便性の向上を図ることができる。したがって、従来のように、錠前ユニットに鍵を掛けたつもりで鍵を掛け忘れていたり、鍵がかかっているのを知らないでハンドル操作をしたり、鍵が掛かっているにも関わらず鍵を用意していなかったりといったことを可及的になくす、又は少なくすることができる。
特に、このインジケータ８は、ハンドルレバー４の開口４３の周囲所定の位置に形成される表示窓８０と、錠前ユニット６に、後部ユニット６１と、後部ユニット６１に対して回転可能に連接される前部ユニット６２とからなり、前部ユニット６２の正面に鍵穴６３を有し、前部ユニット６２の外周面にロック爪６４が突出されて、鍵７を鍵穴６３に通して前部ユニット６２を所定の施錠方向に回転することにより、ロック爪６４を所定の施錠位置に回転変位し、所定の解錠方向に回転することにより、ロック爪６４を所定の解錠位置に回転変位する形式の錠前ユニットが採用され、錠前ユニット６の前部ユニット６２の正面の鍵穴６３の周囲で、前部ユニット６２の施錠方向の回転によりロック爪６４を所定の錠止位置に回転変位したときに前部ユニット６２の表示窓８０に一致する位置に設けられ、ハンドルレバー４の施錠状態を表示するための施錠表示部材（赤いマーク）８１Ｒ、及び前部ユニット６２の解錠方向の回転によりロック爪６４を所定の解錠位置に回転変位したときに前部ユニット６２の表示窓８０に一致する位置に設けられ、ハンドルレバー４の解錠状態を表示するための解錠表示部材（青いマーク）８１Ｂとにより構成され、ハンドルベース１にハンドルレバー４が収納された状態で、鍵７を鍵穴６３に通し前部ユニット６２を回転してロック爪６４を所定の施錠位置に回転変位したときに、インジケータ８に赤いマーク８１Ｒによりハンドルレバー４の錠止状態を表示し、鍵７を鍵穴６３に通し前部ユニット６２を回転してロック爪６４を所定の解錠位置に回転変位したときに、インジケータ８に青いマーク８１Ｂによりハンドルレバー４の解錠状態を表示するようにしたので、インジケータ８を錠前ユニット６の一部（前部ユニット６２）及びその動きを利用した簡単な構造で構成することができ、信頼性の高いインジケータ８を低コストに提供することができる。
【００１９】
なお、この実施の形態では、ハンドルベース１にハンドルレバー４側の受け部４２に係脱可能な錠止部材６４を有する錠前ユニット６を組み込み、ハンドルレバー４に形成された開口４３に臨む錠前ユニット６の鍵穴６３に鍵７を挿入し所定方向に回転操作することにより、ハンドルレバー４を施錠し、鍵７の反対方向の回転操作により、ハンドルレバー４を解錠するものとしたが、これとは反対に、ハンドルレバーにハンドルベース側の受け部に係脱可能な錠止部材を有する錠前ユニットを組み込み、ハンドルレバーに形成された開口に臨む錠前ユニットの鍵穴に鍵を挿入し所定方向に回転操作することにより、ハンドルレバーを施錠し、鍵の反対方向の回転操作により、ハンドルレバーを解錠するようにしてもよく、このようにしても上記実施の形態と同様の作用効果を奏することができる。
【符号の説明】
【００２０】
Ｈ  ハンドル装置
１  ハンドルベース
１０  ねじ穴
１１  ねじ
１２  膨出部
１３  ハンドル収納部
１４  軸筒部
１５  筒状部
２  ハンドル軸
２０  筒部
２０１  開口上縁部
２０２，２０２  開口左右両縁部
２０３  開口下縁部
２０４，２０４  軸受
２０５  段部
２０６  板バネ
２１  軸部
２１０  ねじ穴
２１１  ねじ
３  回動軸
４  ハンドルレバー
４０  軸挿通部
４１  突起
４２  受け部
４３  開口
５  止め金
５０  軸穴
６  錠前ユニット
６１  後部ユニット
６２  前部ユニット
６３  鍵穴
６４  ロック爪（錠止部材）
７  鍵
８  インジケータ
８０  表示窓
８１Ｒ  表示部材（赤いマーク）
８１Ｂ  表示部材（青いマーク）
９  パッキン
Ｄ  扉パネル
【図１】
2014234650.tif 000003
【図２】
2014234650.tif 000004
【図３】
2014234650.tif 000005
【図４】
2014234650.tif 000006
【図５】
2014234650.tif 000007
【図６】
2014234650.tif 000008
【図７】
2014234650.tif 000009
【図８】
2014234650.tif 000010
【図９】
2014234650.tif 000011
【図１０】
2014234650.tif 000012
【図１１】
2014234650.tif 000013
【図１２】
2014234650.tif 000014